(57)【要約】【課題】表示器にグラフィック表示されたコード・ドメインパワー特性から異常発生したチャネルを一瞥して把握する。【解決手段】  被測定信号からチップデータを作成する（１０）。チップデータを逆拡散して各チャネルのシンボルデータとして出力する（２２）。各チャネルのシンボルデータを用いて、各チャネルのコード・ドメインパワーを算出する（２４）。ドメインパワー特性（３１）を表示器に表示する（２９）。各チャネルのコード・ドメインエラーを算出する（２５）。各チャネルのコード・ドメインエラーのうち予め設定されたしきい値を超えるコード・ドメインエラーを指定する（２８）。コード・ドメインパワー特性における各チャネルのコード・ドメインパワーのうちのしきい値を超えるコード・ドメインエラーのチャネルに対応するチャネルのコード・ドメインパワーを強調表示する（２９）。【選択図】      図１
2006135541.tif 000002
【特許請求の範囲】
【請求項１】
入力された被測定信号であるＣＤＭＡ信号の各拡散ファクターの各チャネルにおける信号を解析するＣＤＭＡ信号解析装置において、
前記入力された被測定信号からフレーム同期がとれたチップデータを作成する入力処理部（１０）と、
この入力処理部から出力されたチップデータをチャネル毎の拡散ファクターに対応する拡散コードで逆拡散して各チャネルのシンボルデータとして出力する逆拡散処理部（２２）と、
前記逆拡散処理部から出力された各チャネルのシンボルデータを用いて、各チャネルのコード・ドメインパワーを算出するコード・ドメインパワー算出部（２４）と、
このコード・ドメインパワー算出部で算出された各チャネルのコード・ドメインパワーをコード・ドメインパワー特性（３１）として表示器にグラフィック表示するパワー特性表示手段（２９）と、
前記逆拡散処理部から出力された各チャネルのシンボルデータを用いて、各チャネルのコード・ドメインエラーを算出するコード・ドメインエラー算出部（２５）と、
このコード・ドメインエラー算出部で算出された各チャネルのコード・ドメインエラーのうち予め設定されたしきい値を超えるコード・ドメインエラーを指定するしきい値判定部（２８）と、
前記表示器に表示されたコード・ドメインパワー特性における各チャネルのコード・ドメインパワーのうちの前記しきい値判定部で指定されたコード・ドメインエラーのチャネルに対応するチャネルのコード・ドメインパワーを強調表示するパワー強調表示手段（２９）と
を備えたことを特徴とするＣＤＭＡ信号解析装置。
【請求項２】
前記コード・ドメインエラー算出部で算出された各チャネルのコード・ドメインエラーをコード・ドメインエラー特性（３２）として、前記表示器に対して、前記コード・ドメインパワー特性と同一画面上に、グラフィック表示するエラー特性表示手段（２９）と、
前記表示器に表示されたコード・ドメインエラー特性における各チャネルのコード・ドメインエラーのうちの前記しきい値判定部で指定されたコード・ドメインエラーを強調表示するエラー強調表示手段（２９）と
を備えたことを特徴とする請求項１記載のＣＤＭＡ信号解析装置。
【請求項３】
前記逆拡散処理部から出力された各チャネルのシンボルデータを用いて、各チャネルの変調方式を判定する変調方式判定部（２６）と、
この変調方式判定部で判定された各チャネルの変調方式を変調方式一覧（３５）として前記表示器に表示する変調方式表示手段（２９）と
を備えたことを特徴とする請求項２記載のＣＤＭＡ信号解析装置。
【発明の詳細な説明】
【技術分野】
【０００１】
本発明は入力された被測定信号であるＣＤＭＡ信号の各拡散ファクターの各チャネルにおける信号を解析するＣＤＭＡ信号解析装置に関する。
【背景技術】
【０００２】
第３世代の移動通信システムにおける無線通信方式の一つとして、Ｗ―ＣＤＭＡ（Wideband Code Division Multiple Access  広帯域符号分割多元接続）が提唱されている。この通信方式を用いる場合、基地局と移動局（携帯電話）との間で送受される信号内には、Ｗ―ＣＤＭＡの通信規格（３ＧＰＰ）に従って送受信される多数のデータが多重化されて組込まれている。
【０００３】
図４に、Ｗ―ＣＤＭＡにおける送信側の各送信データＤ０〜Ｄｎの多重化手法を示す。各送信データＤ０〜Ｄｎは、変調部１で例えばＱＰＳＫ等の変調方式で位相変調され、拡散部２においてそれぞれ異なる拡散コード（直交可変拡散符号）ｗ０〜ｗｎでコード拡散されたのち、加算器３で加算された後、スクランブル回路４にてスクランブルコードが乗算されて、３．８４ＭHzのチップ（chip）データとして高周波回路５で高周波信号に変換されてアンテナ６から電波出力される。
【０００４】
次に、拡散部２において各送信データＤ０〜Ｄｎを拡散する拡散コードの構成を図５を用いて説明する。このＣＤＭＡ方式の拡散コードは図示するようにツリー構造に構成されており、拡散コード７の拡散コード長４、８、１６、３２、６４、１２８、２５６、５１２に応じてそれぞれ拡散ファクター（Spreading Factor）８（ＳＦ４、ＳＦ８、ＳＦ１６、ＳＦ３２、ＳＦ６４、ＳＦ１２８、ＳＦ２５６、ＳＦ５１２）が定義されている。なお、図５においては、ＳＦ３２〜ＳＦ５１２の各拡散ファクター８は省略されている。
【０００５】
それぞれの拡散ファクター８には、所属する拡散コード７の拡散コード長分の拡散コード７が割付られている。例えば、拡散ファクターＳＦ８には、チャネルＣＨ０〜ＣＨ７のそれぞれ符号長を８で構成する合計８個の拡散コード７が一定法則に従って割付られている。
【０００６】
Ｗ―ＣＤＭＡにおいて送信側から出力されるデータの伝送速度は固定（３．８４Ｍcpsであり、１フレーム長（時間）も固定（１０ｍｓ）であるので、この１フレームに含まれるチップデータ数も一定（＝３８４００）である。したがって、送信側において、送信すべきデータの数と、データ（情報）の種類（英数データ、音声、画像ｅｔｃ）によって、採用する拡散コード７の符号長（拡散ファクター８）を選択設定する。
【０００７】
この場合、選択された拡散コード７から分岐した（枝分かれした）下位の拡散ファクター８に所属する全部の拡散コード７、及び選択された拡散コード７の上位の系列の各拡散コード７は選択禁止となる。これは、自己の拡散コード７と自己から枝分かれした下位の拡散ファクター８の拡散コード７又は自己の上位の系列の拡散コード７とが同時に選択されると、逆拡散した場合に、どの拡散コード７で拡散された送信データであるかの区別が付かないからである。
【０００８】
したがって、このツリー構造に構成された拡散コード群における拡散部２に採用可能な拡散コード７の最大数は５１２となる。
【０００９】
Ｗ―ＣＤＭＡにおける送信側の各送信データＤ０〜Ｄｎは、変調部１にて、ＱＰＳＫ（Quadrature phase shift keying ４位相偏移変調）の変調方式で変調されている。さらに、近年、このＷ―ＣＤＭＡを基礎として、パケット通信速度を上昇させた第３．５世代の移動通信システム（３．５Ｇ）のＨＳＤＰＡ（High Speed Downlink Packet Access）の規格が検討されている。このＨＳＤＰＡにおいては、各送信データＤ０〜ＤｎはＱＰＳＫの他に１６ＱＡＭ（Quadrature amplitude modulation）の変調方式が採用可能である。
【００１０】
したがって、このようなＷ―ＣＤＭＡの無線通信方式を採用した移動通信システムおける基地局から各移動局（携帯電話）へ送信される電波の信号が上述した規格を満たしていることを試験する必要がある。
【００１１】
なお、特許文献１には、ＣＤＭＡ信号における各チャネルのコード・ドメインパワーを求めて、基地局側で各送信データが割付られた（採用した）チャネルを特定する技術が開示されている。
【特許文献１】特開２０００―３６８０２号公報
【発明の開示】
【発明が解決しようとする課題】
【００１２】
したがって、Ｗ―ＣＤＭＡの規格を採用した第３世代の移動通信システムやＨＳＤＰＡの規格を採用した第３．５世代の移動通信システムにおける基地局から各移動局（携帯電話）へ送信される電波の信号が上述した規格を満たしていることを簡単に検証できるＣＤＭＡ信号解析装置の開発が望まれている。
【００１３】
ＣＤＭＡ信号における各チャネルの特性としては、上述したコード・ドメインパワーの他に、信号の有無、信号有りの場合における変調方式、コンスタレーション、変調精度［ＥＶＭ（Error Vector Magnitude ）、振幅誤差、位相誤差、原点オフセット］、エラー発生率（ＢＥＲ  Bit Error Ratio）等がある。
【００１４】
そして、上述した各特性は、互いに影響を及ぼしあう。そして、一つの特性に異常値が発生すると、この特性に関係する他の特性に異常が生じているか否かを調べて、これらの各異常の発生状況を分析して、異常発生原因を究明することが望ましい。
【００１５】
特に、ＣＤＭＡ信号における各チャネルのコード・ドメインパワーは、チャネル毎に通信先の各移動局（携帯電話）までの距離に応じてパワー値が変化するので、パワー値の大小に応じて異常発生の有無を即座に判断できない。
【００１６】
しかしながら、前述した特許文献１においては、ＣＤＭＡ信号における各チャネルのコード・ドメインパワーを求めて、表示器にコード・ドメインパワー特性として表示していたが、各チャネルのコード・ドメインパワー以外の特性は求めていない。したがって、異常発生時において、各チャネルのコード・ドメインパワーの値のみから異常発生原因を短時間で効率的に究明することが困難であった。
【００１７】
本発明はこのような事情に鑑みてなされたものであり、ＣＤＭＡ信号における各チャネルのコード・ドメインパワーに加えて、各チャネルのコード・ドメインエラーをも測定することによって、表示器にグラフィック表示されたコード・ドメインパワー特性から異常発生したチャネルを一瞥して把握でき、かつ異常発生原因を短時間で効率的に究明できるＣＤＭＡ信号解析装置を提供することを目的とする。
【課題を解決するための手段】
【００１８】
本発明は、入力された被測定信号であるＣＤＭＡ信号の各拡散ファクターの各チャネルにおける信号を解析するＣＤＭＡ信号解析装置に適用される。
【００１９】
そして、上述した課題を解消するために、本発明のＣＤＭＡ信号解析装置においては、入力された被測定信号からフレーム同期がとれたチップデータを作成する入力処理部と、入力処理部から出力されたチップデータをチャネル毎の拡散ファクターに対応する拡散コードで逆拡散して各チャネルのシンボルデータとして出力する逆拡散処理部と、逆拡散処理部から出力された各チャネルのシンボルデータを用いて、各チャネルのコード・ドメインパワーを算出するコード・ドメインパワー算出部と、コード・ドメインパワー算出部で算出された各チャネルのコード・ドメインパワーをコード・ドメインパワー特性として表示器にグラフィック表示するパワー特性表示手段と、逆拡散処理部から出力された各チャネルのシンボルデータを用いて、各チャネルのコード・ドメインエラーを算出するコード・ドメインエラー算出部と、このコード・ドメインエラー算出部で算出された各チャネルのコード・ドメインエラーのうち予め設定されたしきい値を超えるコード・ドメインエラーを指定するしきい値判定部と、表示器に表示されたコード・ドメインパワー特性における各チャネルのコード・ドメインパワーのうちのしきい値判定部で指定されたコード・ドメインエラーのチャネルに対応するチャネルのコード・ドメインパワーを強調表示するパワー強調表示手段とを備えている。
【００２０】
このように構成されたＣＤＭＡ信号解析装置においては、各チャネルのコード・ドメインパワーを算出するコード・ドメインパワー算出部の他に各チャネルのコード・ドメインエラーを算出するコード・ドメインエラー算出部を設けている。さらに、しきい値を超えるコード・ドメインエラーを指定するしきい値判定部を設けている。そして、表示されたコード・ドメインパワー特性におけるエラーがしきい値を超えたコード・ドメインパワーが強調表示される。
【００２１】
したがって、表示されたコード・ドメインパワー特性から、異常発生（エラーがしきい値を超えた）チャネルと、異常発生チャネルと該当チャネルのコード・ドメインパワーとの関係とを把握でき、かつ異常発生原因を短時間で効率的に究明できる。
【００２２】
また、別の発明は、上述した発明のＣＤＭＡ信号解析装置に対して、さらに、コード・ドメインエラー算出部で算出された各チャネルのコード・ドメインエラーをコード・ドメインエラー特性として、表示器に対して、コード・ドメインパワー特性と同一画面上に、グラフィック表示するエラー特性表示手段と、表示器に表示されたコード・ドメインエラー特性における各チャネルのコード・ドメインエラーのうちのしきい値判定部で指定されたコード・ドメインエラーを強調表示するエラー強調表示手段とを備えている。
【００２３】
このように構成されたＣＤＭＡ信号解析装置においては、表示器に前述したコード・ドメインパワー特性に加えてコード・ドメインエラー特性が同一画面上で表示される。さらに、このコード・ドメインエラー特性において、しきい値を超えたコード・ドメインエラーが強調表示される。したがって、このＣＤＭＡ信号解析装置を用いて試験を行う試験実施者にとって、異常発生状況をより的確に把握できる。
【００２４】
また、別の発明は、上述した発明のＣＤＭＡ信号解析装置に対して、さらに、逆拡散処理部から出力された各チャネルのシンボルデータを用いて、各チャネルの変調方式を判定する変調方式判定部と、この変調方式判定部で判定された各チャネルの変調方式を変調方式一覧として表示器に表示する変調方式表示手段とを備えている。
【００２５】
このように構成されたＣＤＭＡ信号解析装置においては、表示器に各チャネルの変調方式が変調方式一覧として表示されているので、チャネル間のコード・ドメインエラーの差が変調方式に起因するものであるか否かが一瞥して把握でき、異常発生状況をより的確に把握できる。
【発明の効果】
【００２６】
本発明によれば、ＣＤＭＡ信号における各チャネルのコード・ドメインパワーに加えて、各チャネルのコード・ドメインエラーも測定し、表示器に表示したコード・ドメインパワー特性におけるエラーがしきい値を超えたコード・ドメインパワーを強調表示している。
【００２７】
したがって、ＣＤＭＡ信号解析装置を用いて試験を行う試験実施者にとって、表示器に表示されたコード・ドメインパワー特性から異常発生したチャネルを一瞥して把握でき、かつ異常発生原因を短時間で効率的に究明できる。
【発明を実施するための最良の形態】
【００２８】
以下、本発明の一実施形態を図面を用いて説明する。
【００２９】
図１は本発明の一実施形態に係るＣＤＭＡ信号解析装置の概略構成を示すブロック図である。
【００３０】
この実施形態のＣＤＭＡ信号解析装置には、基地局から出力されたＨＳＤＰＡの通信方式を採用した被測定信号ａが入力される。このＨＳＤＰＡの通信方式を採用した被測定信号ａは、図４で説明したように、各送信データＤ０〜Ｄｎを各変調部１でＱＰＳＫ又は１６ＱＡＭの変調方式で変調され、各拡散部２において、それぞれ図５で示した規格を有する各拡散コード７でコード拡散されて、加算器３で加算され、スクランブル回路４でスクランブル処理され、高周波回路５で高周波信号に変換されてアンテナ６から出力された一つの信号である。
【００３１】
図１における、ＣＤＭＡ信号解析装置に入力された被測定信号ａは、入力処理部１０内の周波数変換部１１で局部発振部（ＬＯＯＳＣ）１２からの周波数信号に基づいて中間周波数に周波数変換された後、Ａ／Ｄ変換部１３でＡ／Ｄ変換される。Ａ／Ｄ変換されたデジタルの被測定信号ａはＩ、Ｑ分離部１４でＩ（同相）成分とＱ（直交）成分とに直交復調され、検波部１５へ入力される。検波部１５はＩ成分とＱ成分とをクロック抽出部１６で抽出したクロックでチップ単位のデータＩ、Ｑへ検波して次の周波数補正部１７へ送出する。
【００３２】
周波数補正部１７は、キャリア抽出部１８で抽出されたキャリアを用いて、先に中間周波数に変換した時点における周波数誤差を修正する。周波数誤差が修正されたチップ単位のデータＩ、Ｑは、次のスクランブル解除部１９で前述したデスクランブルコードを乗算することにより、スクランブルが解除され、この入力処理部１０からフレーム同期がとれた新たなチップデータＩ、Ｑとして、逆拡散部２０へ入力される。
【００３３】
逆拡散部２０は、入力されたチップデータＩ、Ｑを、図５で示した各拡散ファクター８が異なる各拡散コード７で逆拡散して、複数のシンボルデータを得て、拡散率（拡散ファクター８）判定部２１へ送出する。拡散率判定部２１は、入力された複数のシンボルデータの拡散ファクター８及び拡散コード７から、各シンボルデータのチャネル（コード）を判定して、各送信データＤ０〜Ｄｎに対応するチャネル１〜チャネルｎの各チャネルの、Ｉ、Ｑ値で示されるシンボルデータ２３として出力する。
【００３４】
したがって、逆拡散部２０及び拡散率判定部２１は、入力処理部１０から出力されたチップデータをチャネル毎の拡散ファクター８に対応する拡散コード７で逆拡散して各チャネルのシンボルデータ２３として出力する逆拡散処理部２２を構成する。
【００３５】
逆拡散処理部２２から出力されたチャネル１〜チャネルｎの各チャネルのシンボルデータ２３は、コード・ドメインパワー算出部２４、変調方式判定部２６へ送出される。
【００３６】
コード・ドメインパワー算出部２４は、入力された各チャネルのＩ、Ｑ値で示されるシンボルデータ２３のパワーＰ（コード・ドメインパワー）を算出する。具体的には、あるコード（チャネル）のコード・ドメインパワーＰは、図２に示すように、該当コード（チャネル）のシンボルデータＩ（同相成分）、Ｑ（直交成分）をＩＱ座標上に表示した場合における座標原点からのベクトルである測定ベクトルＺの２乗値で示されるパワーｐの、チャネル１からチャネルｎまでの全部のチャネル（コード）のパワーｐ1〜ｐnの合計値（ｐ1＋ｐ2＋…＋ｐn）に対する比で示される。
【００３７】
ｐ＝Ｚ2＝Ｉ2＋Ｑ2
Ｐ＝１０・log［ｐ／（ｐ1＋ｐ2＋…＋ｐn）］    （ｄＢ）
コード・ドメインパワー算出部２４は、算出した各チャネルのコード・ドメインパワーＰをしきい値判定部２７へ送出する。しきい値判定部２７は、各チャネルのコード・ドメインパワーＰが、該当チャネルの信号有無を判定するためのしきい値Ｐｈ以上か否かを判定し、しきい値Ｐｈ以上のコード・ドメインパワーＰを表示制御部２９へ正規のコード・ドメインパワーＰとして送出する。しきい値判定部２７は、しきい値Ｐｈ未満のコード・ドメインパワーＰは雑音であると判定して、それ以降、「信号無し」であるとして扱う。
【００３８】
さらに、しきい値判定部２７は、各チャネルの信号有無の判定結果をコード・ドメインエラー算出部２５、変調方式判定部２６へ送出する。
【００３９】
そして、表示制御部２９は、ｎ個の各チャネルのコード・ドメインパワーＰを、信号有無の判定に用いたしきい値Ｐｈと共に、図３に示すように、表示器３０にコード・ドメインパワー特性３１としてグラフィック表示する。
【００４０】
次に、各コード（チャネル）のコード・ドメインエラーＣＤＥの定義、算出法を図２を用いて説明する。
【００４１】
シンボルデータＩ（同相成分）、Ｑ（直交成分）を、ＩＱ座標上に表示した場合の測定点の座標原点からのベクトルを測定ベクトルＺとし、入力されたシンボルデータの本来あるべき理想点のベクトルを理想ベクトルＲとする。理想点から測定点までのベクトルを誤差ベクトルＥとする。
【００４２】
誤差ベクトルＥ＝｜Ｚ―Ｒ｜
前述した振幅誤差、位相誤差、原点オフセットとともに変調精度を構成するＥＶＭ（Error Vector Magnitude ）は、誤差ベクトルＥ及び理想ベクトルＲの各時間的なＲＭＳ（２乗平均値）を用いて下式で定義されている。
【００４３】
ＥＶＭ＝［ＲＭＳ（Ｅ）／ＲＭＳ（Ｒ）］×１００    （％）
図１に示すＣＤＭＡ信号解析装置においては、理想ベクトルＲは逆拡散処理部２２から出力されたｎ個のチャネルのシンボルデータ２３から作成され、測定ベクトルＺ及び誤差ベクトルＥは周波数補正部１７から出力されたスクランブル解除前のチップ単位のデータＩ、Ｑから作成される。
【００４４】
したがって、誤差ベクトルＥをコード（チャネル）毎に分けるために、この誤差ベクトルＥをスクランブル解除し、さらにコード逆拡散を実施する必要がある。ここで、誤差ベクトルＥをスクランブル解除したものを新たな誤差ベクトルＥaとし、各拡散コードＳで逆拡散して、コード（チャネル１〜ｎ）毎の誤差ベクトルを、さらに新たな誤差ベクトルＥb（＝Ｅb1、Ｅb2、…、Ｅbn）とする。
【００４５】
この各コード（チャネル）の誤差ベクトルＥbのＲＭＳ値をコードＥＶＭと称する。
【００４６】
コードＥＶＭ＝ＲＭＳ（Ｅb）
そして、各コード（チャネル）のコード・ドメインエラーＣＤＥは
ＣＤＥ＝１０・log［（ＲＭＳ（Ｅb））2／（ＲＭＳ（Ｒ））2］    （ｄＢ）
となる。
【００４７】
次に、理想ベクトルＲの算出法を説明する。図１における逆拡散処理部２２から出力されたｎ個のチャネルのシンボルデータ２３は理想信号生成部４０の理想信号作成部４１へ入力される。この理想信号作成部４１は、このシンボルデータ２３を例えば平均化して、この平均等を参酌して、理想シンボルデータを定める。拡散処理部４２でこの理想シンボルデータを拡散し、さらにスクランブル処理部４３でスクランブル処理することにより、１個の理想ベクトルＲを得る。理想信号生成部４０は作成した理想ベクトルＲをコード・ドメインエラー算出部２５へ送出するとともに、最適化部４４及び誤差信号作成部４５へ送出する。
【００４８】
次に、測定ベクトルＺ及び誤差ベクトルＥ、各コード（チャネル）の誤差ベクトルＥbの算出法を説明する。図１における周波数補正部１７から出力されたスクランブル解除前のチップ単位のデータＩ、Ｑは最適化部４４へ入力される。最適化部４４は、データＩ、Ｑの前述したＥＶＭが最小となるように、当該データＩ、Ｑの周波数、位相、各コードチャネルのゲイン、タイミングを調整して、調整した後のデータＩ、Ｑを最適化信号としての測定ベクトルＺとする。誤差信号作成部４５は、入力した測定ベクトルＺと理想信号生成部４０から入力された理想ベクトルＲとから、誤差ベクトルＥを算出する（Ｅ＝｜Ｚ―Ｒ｜）。
【００４９】
スクランブル解除部４６は、誤差ベクトルＥをスクランブル解除し、新たな誤差ベクトルＥaとして、逆拡散部４７へ送出する。逆拡散部４７は、スクランブル解除後の誤差ベクトルＥaを各拡散コードＳで逆拡散して、コード（チャネル１〜ｎ）毎の誤差ベクトルＥb（＝Ｅb1、Ｅb2、…、Ｅbn）を得て、コード・ドメインエラー算出部２５へ送出する。
【００５０】
コード・ドメインエラー算出部２５は、コード（チャネル１〜ｎ）毎の誤差ベクトルＥbから、コード（チャネル１〜ｎ）毎のコードＥＶＭを算出して、さらにコード（チャネル１〜ｎ）毎の前述したコード・ドメインエラーＣＤＥを算出する。
【００５１】
実際には、コード・ドメインエラー算出部２５は、逆拡散処理部２２から入力されｎ個のチャネルのシンボルデータ２３のうち、しきい値判定部２７から信号ありと判定された各チャネルのシンボルデータ２３のコード・ドメインエラーＣＤＥを算出する。
【００５２】
コード・ドメインエラー算出部２５は、算出した信号有りの各チャネルのコード・ドメインエラーＣＤＥをしきい値判定部２８へ送出する。
【００５３】
しきい値判定部２８は、入力された信号有りの各チャネルのコード・ドメインエラーＣＤＥが、予め設定されたしきい値Ｅｈ以上か否かを判定し、入力された信号有りの各チャネルのコード・ドメインエラーＣＤＥに上述した判定情報を付加して、表示制御部２９へ送出する。
【００５４】
表示制御部２９は、しきい値判定部２８から、入力された信号有りの各チャネルのコード・ドメインエラーＣＤＥを、図３に示すように、表示器３０にコード・ドメインエラー特性３２としてグラフィック表示する。この場合、予め設定されたしきい値Ｅｈ以上のコード・ドメインエラー３３を例えば異なる色で強調表示する。
【００５５】
さらに、表示制御部２９は、表示器３０に表示されたコード・ドメインパワー特性３１における各チャネルのコード・ドメインパワーＰのうちのコード・ドメインエラー特性３２において、予め設定されたしきい値Ｅｈ以上のコード・ドメインエラー３３に対応するチャネルのコード・ドメインパワー３４を例えば異なる色で強調表示する。
【００５６】
変調方式判定部２６は、逆拡散処理部２２から入力されｎ個のチャネルのシンボルデータ２３のうち、しきい値判定部２７から信号ありと判定された各チャネルのシンボルデータ２３のＱＰＳＫ又は１６ＱＡＭの変調方式を判定する。具体的には、入力された各チャネルのＩ、Ｑ値で示されるシンボルデータ２３のコンスタレーションを求め、このコンスタレーションのパターンから、各チャネルのＱＰＳＫ又は１６ＱＡＭの変調方式を判定する。変調方式判定部２６は判定した各チャネルのＱＰＳＫ又は１６ＱＡＭの変調方式を表示制御部２９へ送出する。
【００５７】
表示制御部２９は、各チャネルのＱＰＳＫ又は１６ＱＡＭの変調方式を、図３に示すように、表示器３０に変調方式一覧３５として表示出力する。
【００５８】
このように構成されたＣＤＭＡ信号解析装置においては、図３に示すように、表示器３０に、コード・ドメインエラー特性３２、コード・ドメインパワー特性３１、及び変調方式一覧３５が同時に表示される。
【００５９】
そして、コード・ドメインパワー特性３１においては、チャネル１〜チャネルｎまでのｎ個のチャネルのうちコード・ドメインパワーＰがしきい値Ｐｈと同時に表示されるので、このＣＤＭＡ信号解析装置を用いた試験実施者は、各チャネルの信号有無を一瞥して把握できる。
【００６０】
さらに、コード・ドメインエラー特性３２においては、信号有りのチャネルのコード・ドメインエラーＣＤＥのみが表示される。なお、信号無しのチャネルのコード・ドメインエラーＣＤＥを算出し、表示することは無意味なことである。したがって、試験実施者に不要な判断を強いることはない。さらに、予め設定されたしきい値Ｅｈ以上のコード・ドメインエラー３３が強調表示されるので、試験実施者は、しきい値Ｅｈ以上のコード・ドメインエラー３３のチャネルを一瞥して把握できる。
【００６１】
さらに、コード・ドメインパワー特性３１において、異常発生の可能性が大きい予め設定されたしきい値Ｅｈ以上のコード・ドメインエラー３３に対応するチャネルのコード・ドメインパワー３４が強調表示される。前述したように、各チャネルのコード・ドメインパワーＰは、チャネル毎に通信先の各移動局（携帯電話）までの距離に応じてパワー値が変化するので、コード・ドメインパワーＰの大小に応じて異常発生の有無を即座に判断できない。そこで、異常発生の可能性が大きいコード・ドメインパワー３４を強調表示することによって、例えば、図３における左側のコード・ドメインパワー３４のように、コード・ドメインパワーＰが十分に大きいにも係わらず、異常発生の可能性が大きいチャネルが存在するという新たな知見を試験実施者は一瞥して把握できる。
【００６２】
さらに、表示器３０には変調方式一覧３５が表示される。一般に、変調方式が異なれば、コード・ドメインエラーＣＤＥも変化する。１６ＱＡＭの変調方式のコード・ドメインエラーＣＤＥの方が、ＱＰＳＫの変調方式のコード・ドメインエラーＣＤＥに比較して大きい。したがって、コード・ドメインエラー特性３２における各チャネル相互間のコード・ドメインエラーＣＤＥの変動が変調方式に起因するか否かを一瞥して把握できる。
【図面の簡単な説明】
【００６３】
【図１】本発明の一実施形態に係るＣＤＭＡ信号解析装置の概略構成を示すブロック図
【図２】同実施形態のＣＤＭＡ信号解析装置におけるコード・ドメインエラーの算出方法を示す図
【図３】同実施形態のＣＤＭＡ信号解析装置における表示器の表示内容を示す図
【図４】一般的なＷ−ＣＤＭＡにおける送信側の各送信データの多重化手法を示す図
【図５】ツリー構造に設定された拡散ファクターと各チャネルにおける拡散コードとの関係を示す図
【符号の説明】
【００６４】
１…変調部、２…拡散部、３…加算器、４…スクランブル回路、５…高周波回路、６…アンテナ、７…拡散コード、８…拡散ファクター、１０…入力処理部、１１…周波数変換部、１３…Ａ／Ｄ変換部、１４…Ｉ、Ｑ分離部、１９…スクランブル解除部、２２…逆拡散処理部、２３…シンボルデータ、２４…コード・ドメインパワー算出部、２５…コード・ドメインエラー算出部、２６…変調方式判定部、２７，２８…しきい値判定部、２９…表示制御部、３０…表示器、３１…コード・ドメインパワー特性、３２…コード・ドメインエラー特性３２、３５…変調方式一覧、４０…理想信号作成部、４４…最適化部、４５…誤差信号作成部
【図１】
2006135541.tif 000003
【図２】
2006135541.tif 000004
【図３】
2006135541.tif 000005
【図４】
2006135541.tif 000006
【図５】
2006135541.tif 000007